(57)【特許請求の範囲】
【請求項１】
壁際材（２）と遊動材（３）とを有し、
前記壁際材（２）は、縦板部（４）とその下端部から表側に張り出した水平見切部（５）により断面形状が概略Ｌ形に形成された部分を有し、水平見切部（５）の先端部に設けた折返部（６）により裏側に向かって開口する溝部（７）が形成されており、
前記遊動材（３）は上側水平部（８）、垂直部（９）及び下側水平部（１０）により断面形状が概略コ字状に形成され、
前記遊動材（３）は前記壁際材（２）に対し、前記下側水平部（１０）が前記水平見切部（５）の上に載置され、かつ、前記下側水平部（１０）の先端が前記溝部（７）に遊嵌されて取り付けられ、
前記縦板部（４）と前記垂直部（９）の間に弾性部材（１１）を設けることで、前記遊動材（３）が前記壁際材（２）に対して表裏方向に弾性的に遊動自在となっており、天井板（１３）の周辺部が前記上側水平部（８）と折返部（６）の間に差し込まれることを特徴とする天井見切縁
【請求項２】
請求項１の天井見切縁において、前記遊動材（３）が硬質のプラスチックでなり、前記弾性部材（１１）が軟質のプラスチックでなることを特徴とする天井見切縁
【請求項３】
請求項１又は２の天井見切縁において、前記弾性部材（１１）が前記遊動材（３）の垂直部（９）の背面に一体的に設けられていることを特徴とする天井見切縁
【請求項４】
請求項３の天井見切縁において、前記弾性部材（１１）が中空部（１２）を有することを特徴とする天井見切縁
【発明の詳細な説明】
【０００１】
【発明の属する技術分野】
本発明は、天井の周辺部に用いて天井と壁の取り合いを美しく見せる天井見切縁で、特に地震時に振動を吸収して天井板に過大な衝撃がかかるのを防止することができる新規な天井見切縁に関する。
【０００２】
【従来に技術】
図７は従来の天井見切縁４０の施工状態の断面図である。同図に示すように、従来の天井見切縁４０は概略コ字状の断面形状を有するプラスチック、金属などの長尺材である。通常、天井見切縁４０は壁１４又は天井下地１５に接着によって取り付けられ、その溝部分に天井板１３の周辺部が填め込まれる。
【０００３】
【発明が解決しようとする課題】
前記従来の天井見切縁４０は、プラスチック又は金属などで単にコ字状に形成されていたので、地震時における振動吸収作用は全くなかった。地震時には天井下地１５及び天井板１３が水平方向に振動し、天井板１３の周辺部が天井見切縁４０を介して壁１４に衝突し、天井板１３及び天井下地１５に過大な衝撃が発生する。この衝撃によって天井が歪んだり、天井板が落下することが多かった。
【０００４】
本発明は、天井見切縁を、地震時における衝撃を吸収できるものとすることで、地震時に天井が歪んだり天井板が落下するのを防止することを課題としてなされたものである。
【０００５】
【課題を解決するための手段】
本発明は、壁際材２と遊動材３とを有し、前記壁際材２は、縦板部４とその下端部から表側に張り出した水平見切部５により断面形状が概略Ｌ形に形成された部分を有し、水平見切部５の先端部に設けた折返部６により裏側に向かって開口する溝部７が形成されており、前記遊動材３は上側水平部８、垂直部９及び下側水平部１０により断面形状が概略コ字状に形成され、前記遊動材３は前記壁際材２に対し、前記下側水平部１０が前記水平見切部５の上に載置され、かつ、前記下側水平部１０の先端が前記溝部７に遊嵌されて取り付けられ、前記縦板部４と前記垂直部９の間に弾性部材１１を設けることで、前記遊動材３が前記壁際材２に対して表裏方向に弾性的に遊動自在となっており、天井板１３の周辺部が前記上側水平部８と折返部６の間に差し込まれることを特徴とする天井見切縁である。
【０００６】
天井板の周辺部はコ字状断面を有する遊動材に填め込まれ、地震時には天井板と遊動材が共に振動する。壁側に設けられる壁際材と遊動材の間には弾性部材が設けられ、遊動材が壁際材に対して表裏方向に弾性的に遊動自在となっているので、天井板及び遊動材の振動が吸収されると共に、天井板及び遊動材が壁際材に衝突する衝撃が弾性部材によって緩和され、天井板及び天井下地に生じる衝撃が緩和される。したがって、天井が歪んだり天井板が落下するのが防止される。
【０００７】
壁際材はプラスチック製、金属製、木製など、意匠的見地から任意の材質とすることができる。遊動材はプラスチック製（硬質）とするのが安価で好適である。弾性部材はゴム、軟質プラスチックなど弾性に富んだ材料であればよい。遊動材を硬質プラスチック、弾性部材を軟質プラスチックとし、弾性部材を遊動材の垂直部の背面に一体的に設けるようにすると、弾性部材を一体に設けた遊動部材を押し出し成形により安価かつ容易に成形することができる。
【０００８】
弾性部材に中空部を設けると、弾性部材の変形が大きくなり、衝撃吸収作用が向上する。
【０００９】
【発明の実施の形態】
以下、実施例を表した図面に基づいて本発明を詳細に説明する。図１及び図２は実施例の天井見切縁１の幅方向の断面図、図３は天井見切縁１の施工状態の断面図、図４及び図５は実施例の天井見切縁２０の幅方向の断面図、図６は天井見切縁２０の施工状態の断面図である。
【００１０】
図１〜３に示す天井見切縁１は硬質プラスチック製の壁際材２、硬質プラスチック製の遊動材３及び軟質プラスチック製の弾性部材１１からなる。壁際材２は、縦板部４とその下端部から表側に張り出した水平見切部５により断面形状が概略Ｌ形に形成されており、水平見切部５の先端部には、折返部６を設けることによって裏側に向かって開口する溝部７が形成されている。縦板部４の背面は、図３に示すように、壁１４に接着する際の接着剤の付着を良くするために波形に形成されている。
【００１１】
遊動材３は上側水平部８、垂直部９及び下側水平部１０により断面形状が概略コ字状に形成されている。垂直部９の背面にはコ字形の断面形状を有する軟質プラスチック製の弾性部材１１が押出成形により一体に形成されている。弾性部材１１は断面形状がコ字形であるので、中空部１２を有するものとなっている。
【００１２】
遊動材３は壁際材２に対し、下側水平部１０が水平見切部５の上に載置され、かつ、下側水平部１０の先端が溝部７に遊嵌されて取り付けられている。したがって、遊動材３は壁際材２に対して表裏方向（図１〜３の左右方向）に遊動することができ、遊動材３が壁方向に移動した場合は、図２に示すように、弾性部材１１が縦板部４に押し付けられて変形し、地震時の振動及び衝撃を吸収する。
【００１３】
天井見切縁１は、例えば図３に示されるように施工される。なお、図３においては天井下地を省略して表している。同図において、天井見切縁１は縦板部４の背面を壁１４に接着することで壁１４に取り付けられる。天井板１３の周辺部は上側水平部８と折返部６の間に差し込まれる。地震時において、天井板１３は遊動材３と共に振動するが、遊動材３が壁際材２に衝突する衝撃が弾性部材１１によって緩和され、天井板１３及び天井下地（図示せず）に生じる衝撃が緩和される。したがって、天井が歪んだり天井板が落下するのが防止される。
【００１４】
図４〜６に示す天井見切縁２０は硬質プラスチック製の壁際材２１、硬質プラスチック製の遊動材２２及び軟質プラスチック製の弾性部材３１からなる。壁際材２１は、縦板部２３とその下端部から表側に張り出した水平見切部２４により断面形状が概略Ｌ形に形成された部分を有する。水平見切部２４の先端部には、折返部２５によって裏側に向かって開口する溝部２６が形成されている。縦板部２３の上端にはＬ形部２７が一体に形成されており、Ｌ形部２７の背面は、図６に示すように、壁１４に接着する際の接着剤の付着を良くするために波形に形成されている。天井見切縁２０を施工した場合、Ｌ形部２７によって壁際に目地３２が形成される。
【００１５】
遊動材２２は上側水平部２８、垂直部２９及び下側水平部３０により断面形状が概略コ字状に形成されている。垂直部２９の背面にはコ字形の断面形状を有する軟質プラスチック製の弾性部材３１が押出成形により一体に形成されている。
【００１６】
遊動材２２は壁際材２１に対し、下側水平部３０が水平見切部２４の上に載置され、かつ、下側水平部３０の先端が溝部２６に遊嵌されて取り付けられている。したがって、遊動材２２は壁際材２１に対して表裏方向（図４〜６の左右方向）に遊動することができ、遊動材２２が壁方向に移動した場合は、図５に示すように、弾性部材３１が縦板部２３に押し付けられて変形し、振動及び衝撃を吸収する。
【００１７】
天井見切縁２０は、例えば図６に示されるように施工される。なお、図６においては天井下地を省略して表している。同図において、天井見切縁２０はＬ形部２７の背面を壁１４に接着することで壁１４に取り付けられる。天井板１３の周辺部は上側水平部２８と折返部２５の間に差し込まれる。地震時において、天井板１３は遊動材２２と共に振動するが、遊動材２２が壁際材２１に衝突する衝撃が弾性部材３１によって緩和され、天井板１３及び天井下地（図示せず）に生じる衝撃が緩和される。したがって、天井が歪んだり天井板が落下するのが防止される。
【００１８】
【発明の効果】
本発明の天井見切縁は、地震時において天井板及び天井下地の振動を吸収し、また、天井板が壁に衝突する振動を吸収するので、天井が歪んだり天井板が落下するのを防止することができる。
【図面の簡単な説明】
【図１】実施例の天井見切縁１の幅方向の断面図である。
【図２】実施例の天井見切縁１の幅方向の断面図である。
【図３】天井見切縁１の施工状態の断面図である。
【図４】実施例の天井見切縁２０の幅方向の断面図である。
【図５】実施例の天井見切縁２０の幅方向の断面図である。
【図６】天井見切縁２０の施工状態の断面図である。
【図７】従来の天井見切縁４０の施工状態の断面図である。
【符号の説明】
１  天井見切縁
２  壁際材
３  遊動材
４  縦板部
５  水平見切部
６  折返部
７  溝部
８  上側水平部
９  垂直部
１０  下側水平部
１１  弾性部材
１２  中空部
１３  天井板
１４  壁
１５  天井下地
２０  天井見切縁
２１  壁際材
２２  遊動材
２３  縦板部
２４  水平見切部
２５  折返部
２６  溝部
２７  Ｌ形部
２８  上側水平部
２９  垂直部
３０  下側水平部
３１  弾性部材
３２  目地
４０  天井見切縁
【図１】
0004246896.tif 000002
【図２】
0004246896.tif 000003
【図３】
0004246896.tif 000004
【図４】
0004246896.tif 000005
【図５】
0004246896.tif 000006
【図６】
0004246896.tif 000007
【図７】
0004246896.tif 000008